(57)【要約】【課題】プレファン周りの構造を簡素なものとしながら、選別効率およびメンテナンス性の向上を図ることができるコンバインを提供する。【解決手段】刈り取られた穀稈を脱穀する脱穀部４と、この脱穀部４からの処理物を揺動選別装置５０と唐箕ファン５１およびプレファン５２からの選別風とにより選別する選別部５とを備えるコンバイン１であって、前記揺動選別装置５０は、下部機枠９１・９１に揺動可能かつ着脱可能に支持され、前記プレファン５２は、前記揺動選別装置５０の下方で前記下部機枠９１・９１側に設けられて、プレファンケース１０に収容され、前記プレファンケース１０は、前記揺動選別装置５０に取り付けられて前記プレファン５２を上方から覆う上側プレファンケース１１と、前記下部機枠９１・９１に取り付けられて前記プレファン５２を下方から覆う下側プレファンケース１２とを備えるコンバイン１とする。【選択図】図３
2011015637.tif 000002
【特許請求の範囲】
【請求項１】
刈り取られた穀稈を脱穀する脱穀部と、この脱穀部からの処理物を揺動選別装置と唐箕ファンおよびプレファンからの選別風とにより選別する選別部とを備えるコンバインにあって、
前記揺動選別装置は、機枠に揺動可能かつ着脱可能に支持され、
前記プレファンは、前記揺動選別装置の下方で前記機枠側に設けられて、プレファンケースに収容され、
前記プレファンケースは、前記揺動選別装置に取り付けられて前記プレファンを上方から覆う上側プレファンケースと、前記機枠に取り付けられて前記プレファンを下方から覆う下側プレファンケースとを備えることを特徴とするコンバイン。
【請求項２】
前記上側プレファンケースは、前記プレファンからの選別風を導く導風部を備えることを特徴とする請求項１に記載のコンバイン。
【請求項３】
前記上側プレファンケースは、その導風部を前記プレファンからの選別風が前記揺動選別装置のチャフシーブに向かって導かれる形状とすることを特徴とする請求項２に記載のコンバイン。
【発明の詳細な説明】
【技術分野】
【０００１】
本発明は、コンバインに関し、特にその選別部に関する。
【背景技術】
【０００２】
従来、選別部に唐箕ファンとプレファンとを設けて、これらのファンからの選別風により脱穀部で脱穀された処理物を風選別するコンバインは知られている。例えば、特許文献１に記載のようなコンバインの選別部においては、回転ファン（プレファン）の上方に上側ファンケース（上側プレファンケース）が配置され、その下方に下側ファンケース（下側プレファンケース）が配置されて、回転ファンの回転による選別風が上側ファンケースと下側ファンケースに案内されるようになっている。また、上側ファンケースに回転ファンからの選別風の風量を調節可能な風量調節部材が設けられ、このファン風量調節部材が連動機構を介してアクチュエータで駆動されることによって、選別風の風量が調節されるようになっている。
【先行技術文献】
【特許文献】
【０００３】
【特許文献１】特開２００８−４３２７７号公報
【発明の概要】
【発明が解決しようとする課題】
【０００４】
しかし、特許文献１のようなコンバインにおいては、回転ファン、即ち本発明に係るプレファンからの選別風の風量を風量調節部材やアクチュエータや連動機構などを用いて調節することによって、選別効率の向上を図る構成であるため、プレファン周りの構造が複雑となっていた。そして、このようにプレファンの周囲に多数の部品が配置されるため、プレファンのメンテナンスを行う際に、これらの部品を取り外す必要が生じて、メンテナンスの手間がかかるという問題があった。
【０００５】
本発明は係る課題を鑑みてなされたものであり、プレファン周りの構造を簡素なものとしながら、選別効率およびメンテナンス性の向上を図ることができるコンバインを提供することを目的とする。
【課題を解決するための手段】
【０００６】
本発明の解決しようとする課題は以上の如くであり、次にこの課題を解決するための手段を説明する。
【０００７】
即ち、請求項１においては、刈り取られた穀稈を脱穀する脱穀部と、この脱穀部からの処理物を揺動選別装置と唐箕ファンおよびプレファンからの選別風とにより選別する選別部とを備えるコンバインにあって、前記揺動選別装置は、機枠に揺動可能かつ着脱可能に支持され、前記プレファンは、前記揺動選別装置の下方で前記機枠側に設けられて、プレファンケースに収容され、前記プレファンケースは、前記揺動選別装置に取り付けられて前記プレファンを上方から覆う上側プレファンケースと、前記機枠に取り付けられて前記プレファンを下方から覆う下側プレファンケースとを備えるものである。
【０００８】
請求項２においては、前記上側プレファンケースは、前記プレファンからの選別風を導く導風部を備えるものである。
【０００９】
請求項３においては、前記上側プレファンケースは、その導風部を前記プレファンからの選別風が前記揺動選別装置のチャフシーブに向かって導かれる形状とするものである。
【発明の効果】
【００１０】
本発明の効果として、以下に示すような効果を奏する。
【００１１】
請求項１においては、選別部で脱穀部からの処理物が選別される際、プレファンケースの上側プレファンケースが揺動選別装置とともに揺動して、プレファンの回転により発生する選別風が脈動することとなる。したがって、プレファン周りの構造を簡素なものとしながら、揺動選別装置から落下する塊となった処理物をプレファンからの選別風により分散させやすくして、選別効率を向上させることができる。また、揺動選別装置を機枠から取り外すだけで、プレファンの上方を開放することが可能となる。したがって、メンテナンス性を向上させることができる。
【００１２】
請求項２においては、プレファン周りの構造を簡素なものとしながら、プレファンからの選別風を導風部により効果的に選別部の所定の方向へ導き、選別効率の向上を図ることができる。
【００１３】
請求項３においては、プレファン周りの構造を簡素なものとしながら、プレファンからの選別風をその流れを乱すことなくチャフシーブまで導き、選別効率の向上を図ることができる。
【図面の簡単な説明】
【００１４】
【図１】コンバインの全体的な構成を示す側面図。
【図２】同じく平面図。
【図３】脱穀部および選別部の構成を示す側面断面図。
【図４】プレファン周りの構造を示す側面断面図。
【図５】揺動選別装置の着脱状態を示す側面断面図。（ａ）揺動選別装置を装着したときの図。（ｂ）揺動選別装置を取り外すときの図。
【図６】別実施形態におけるプレファン周りの構造を示す側面断面図。
【発明を実施するための形態】
【００１５】
以下、本発明の実施の形態について、詳細に説明する。
【００１６】
まず、本発明の一実施形態に係るコンバイン１の全体構成について説明する。
【００１７】
図１、図２に示すように、コンバイン１には、走行部２、刈取部３、脱穀部４、選別部５、穀粒貯溜部６、排藁処理部７、操縦部８が備えられる。
【００１８】
走行部２は、機体フレーム９の下部に設けられる。走行部２は、左右一対のクローラを有するクローラ式走行装置２１などを有して、機体をクローラ式走行装置２１により前進または後進方向に走行させることができるように構成される。
【００１９】
刈取部３は、機体フレーム９の前端部に機体に対して昇降可能に設けられる。刈取部３は、分草具３１や、引起装置３２や、切断装置３３や、搬送装置３４などを有して、圃場の穀稈を分草具３１により分草し、分草後の穀稈を引起装置３２により引き起こし、引起後の穀稈の株元を切断装置３３により切断し、切断後の穀稈を搬送装置３４により脱穀部４側へ搬送することができるように構成される。
【００２０】
脱穀部４は、機体フレーム９の左側前部に設けられ、刈取部３の後方に配置される。脱穀部４は、フィードチェン４１や、扱胴４３、処理胴４５などを有して、刈取部３から搬送されてくる穀稈をフィードチェン４１により受け継いで排藁処理部７側へ搬送し、搬送中の穀稈を扱胴４３により脱穀し、扱胴４３側からの未処理物を処理胴４５により処理することができるように構成される。
【００２１】
選別部５は、機体フレーム９の左側部に設けられ、脱穀部４の下方に配置される。選別部５は、揺動選別装置５０や、風選別装置や、穀粒搬送装置などを有して、脱穀部４から落下する処理物を揺動選別装置５０により揺動選別し、揺動選別後のものを風選別装置により風選別して藁屑や塵埃などを藁屑排出装置により外部へ排出する一方、穀粒を穀粒搬送装置により穀粒貯溜部６へ搬送することができるように構成される。
【００２２】
穀粒貯溜部６は、機体フレーム９の右側後部に設けられ、脱穀部４および選別部５の右側方に配置される。穀粒貯溜部６は、グレンタンク６１や、穀粒排出装置６２などを有して、選別部５から搬送されてくる穀粒をグレンタンク６１により一時的に貯溜し、貯溜中の穀粒を穀粒排出装置６２によりグレンタンク６１から排出し、更に任意の方向に搬送してから外部へ排出することができるように構成される。
【００２３】
排藁処理部７は、機体フレーム９の左側後部に設けられ、脱穀部４の後方に配置される。排藁処理部７は、排藁搬送装置７１や、排藁切断装置７２などを有して、脱穀部４からの脱穀済みの穀稈を排藁として排藁搬送装置７１により受け継いで外部へ排出する。または、排藁切断装置７２へ搬送し、搬送後の排藁を排藁切断装置７２により切断してから外部へ排出することができるように構成される。
【００２４】
排藁処理部７では、各装置を覆い支持するケース７０の右側前部が、機体の後部に上下方向の回動支点中心として図２における両矢印Ａ１の方向に回動自在に支持される。このケース７０は、その左側前部に設けられたロック装置によりロックされて、脱穀部４に連続した状態に保持される。そして、ケース７０は、前記ロック装置によるロックが解除されることによって、脱穀部４および選別部５の後側を外部に露出させるように、前記回動支点を中心として後方へ向けて回動可能とされる。
【００２５】
操縦部８は、機体フレーム９の右側前部に設けられ、刈取部３の搬送装置３４の右側方であって穀粒貯溜部６の前方に配置される。操縦部８は、操縦席８１や、ステアリングハンドル８２を含む操作具類、キャビン８３などを有して、操縦席８１や操作具類などをキャビン８３により覆い、操縦席８１に操縦者を着座させ、操作具類により操縦者が各部の装置を操作することができるように構成される。
【００２６】
このようにして、コンバイン１は、操縦部８での操作具類の操作によって、エンジン２２の動力を各部の装置に伝達して、走行部２にて機体を走行させながら、刈取部３で圃場の穀稈を刈り取り、脱穀部４で刈取部３からの穀稈を脱穀し、選別部５で脱穀部４からの処理物を選別して、穀粒貯溜部６で選別部５からの穀粒を貯溜すると同時に、排藁処理部７で脱穀部４からの排藁を外部へ排出することができるようになっている。
【００２７】
次に、脱穀部４および選別部５の構成について説明する。
【００２８】
図３に示すように、脱穀部４には、フィードチェン４１、扱胴４３、処理胴４５などが備えられる。また、選別部５には、揺動選別装置５０、風選別装置、穀粒搬送装置などが備えられる。
【００２９】
脱穀部４において、扱胴４３は、前端部を面取りした円筒状に形成され、軸心方向を前後方向として扱室４２に配置される。扱胴４３は、扱室４２でその前壁と後壁との間に回転自在に架設された回転支軸に取り付けられ、この回転支軸にエンジン２２からの動力が伝達されることで当該回転支軸と一体的にその前後方向の軸心回りで回転駆動される。扱胴４３の下方には、受網４４が扱胴４３の下半部を覆うように配置される。
【００３０】
処理胴４５は、円筒状に形成され、軸心方向を前後方向として扱胴４３と平行とされて、その右後方で処理室４６に配置される。処理室４６はその前部の左側方に設けられる送塵口を介して扱室４２と連通される。そして、処理胴４５は、処理室４６に前後方向に回転自在に架設された支軸に支持され、この支軸にエンジン２２からの動力が伝達されることで当該支軸と一体的にその前後方向の軸心回りで回転駆動される。処理胴４５の下方には、処理胴網が配置される。
【００３１】
図１から図３に示すように、フィードチェン４１は、扱胴４３の左側方で刈取部３と排藁処理部７との間にわたって配置される。フィードチェン４１は、扱胴４３の左側方でフィードチェンフレーム（図示省略）に設けられた駆動スプロケットや従動スプロケットなどの複数のスプロケット４１ｂに巻回され、その駆動スプロケットにエンジン２２からの動力が伝達されることで回転駆動される。なお、フィードチェン４１およびフィードチェンフレームは、カバー４１ａにより脱穀部４の左側方から覆われている。
【００３２】
ここで、フィードチェンフレームの後部は、機体の後部に上下方向の回動支点４１ｃを中心として図２における両矢印Ａ２の方向に回動自在に支持される。フィードチェンフレームは、その前部に設けられたロック装置によりロックされて、扱胴４３と対向した状態に保持される。そして、フィードチェンフレームは、フィードチェン４１を支持した状態で、前記ロック装置によるロックが解除されることによって、扱胴４３や選別部５の前上側付近を露出させるように、回動支点４１ｃを中心として左側方へ向けて回動可能とされる。
【００３３】
選別部５において、揺動選別装置５０には、揺動選別装置本体５０ａ、前フィードパン５４、後フィードパン５５、チャフシーブ５６、グレンシーブ５７、ストローラック５８が備えられる。
【００３４】
揺動選別装置本体５０ａは、選別部５の平面視で矩形枠状に形成される。揺動選別装置本体５０ａは、その長手方向を前後方向として脱穀部４の扱胴４３および受網４４ならびに処理胴４５および処理胴網の下方に配置され、機体フレーム９上に設けられた左右の下部機枠９１・９１に揺動可能かつ着脱可能に支持される。この揺動選別装置本体５０ａは、揺動機構の揺動軸にエンジン２２からの動力が伝達されることによって、左右の下部機枠９１・９１に対して揺動される。
【００３５】
フィードパンは、前フィードパン５４および後フィードパン５５により構成される。前フィードパン５４は、揺動選別装置本体５０ａ内の前部で脱穀部４の扱胴４３および受網４４の下方に配置される。後フィードパン５５は、揺動選別装置本体５０ａ内の前部で前フィードパン５４の後下方に当該前フィードパン５４と所定間隔をとって配置される。
【００３６】
チャフシーブ５６は、揺動選別装置本体５０ａ内の前後中途部に設けられ、脱穀部４の扱胴４３および受網４４の後部下方ならびに処理胴４５および処理胴網の下方であって、前フィードパン５４の後方に配置される。このチャフシーブ５６は、その開度が排藁量に応じて調節されるように構成される。
【００３７】
グレンシーブ５７は、揺動選別装置本体５０ａ内の前後中途部に設けられ、チャフシーブ５６の下方に配置される。ストローラック５８は、揺動選別装置本体５０ａ内の後部に設けられ、チャフシーブ５６の後方であってグレンシーブ５７の後上方に配置される。
【００３８】
風選別装置には、唐箕ファン５１、吸引ファン５９、プレファン５２、およびセカンドファン５３が備えられる。ここで、唐箕ファン５１、吸引ファン５９、プレファン５２、およびセカンドファン５３は、揺動選別装置５０の下方で左右の下部機枠９１・９１の左右内側に配置される。そして、これらのファン５１・５９・５２・５３に対して、揺動選別装置５０が左右の下部機枠９１・９１に沿って前後方向に摺動可能とされる。
【００３９】
唐箕ファン５１は、左右の下部機枠９１・９１の前部に左右方向に横設され、前フィードパン５４の後部の下方に配置される。吸引ファン５９は下部機枠９１の上部に配置された左右の上部機枠９２・９２の後端部の上方で左右方向に横設され、ストローラック５８の上方に配置される。そして、唐箕ファン５１および吸引ファン５９は、その回転軸５１ａ・５９ａにエンジン２２からの動力が伝達されることで回転し、選別風を発生させるように構成される。
【００４０】
図３および図４に示すように、プレファン５２は、左右の下部機枠９１・９１の前端部付近に左右方向に横設され、前フィードパン５４の前部の下方であって、唐箕ファン５１の前上方に配置される。セカンドファン５３は、左右の下部機枠９１・９１の前後中途部の底部に左右方向に横設され、後述する穀粒搬送装置の一番搬送装置１５１と二番搬送装置１５２との間に配置される。そして、プレファン５２およびセカンドファン５３は、その回転軸５２ａ・５３ａにエンジン２２からの動力が伝達されることで回転し、選別風を発生させるように構成される。
【００４１】
穀粒搬送装置には、一番搬送装置１５１、二番搬送装置１５２、一番揚穀装置１５５、二番還元装置１５６が備えられる。一番搬送装置１５１は、左右の下部機枠９１・９１の底部で左右方向に横設され、唐箕ファン５１の後方であってチャフシーブ５６およびグレンシーブ５７の下方に配置される。二番搬送装置１５２は、左右の下部機枠９１・９１の底部で左右方向に横設され、一番搬送装置１５１およびセカンドファン５３の後方であって、ストローラック５８の下方に配置される。
【００４２】
一番揚穀装置１５５は、右側の下部機枠９１の外側に上下方向に立設され、一番搬送装置１５１の右端部と接続されるとともに、穀粒貯溜部６のグレンタンク６１（図１参照）と接続される。二番還元装置１５６は、右側の下部機枠９１の外側に前後方向に斜設され、二番搬送装置１５２の右端部と接続されるとともに、脱穀部４の扱室４２または揺動選別装置５０の上方の空間に接続される。
【００４３】
このような構成において、脱穀作業および選別作業が行われる際、脱穀部４では、刈取部３からの穀稈がその株元でフィードチェン４１により受け継がれ、排藁処理部７側へ搬送される。この搬送中の穀稈の穂先部が扱胴４３により脱穀され、その穀粒や藁屑や塵埃を含む処理物が選別部５へ落下する過程で受網４４により選別される。扱胴４３により脱穀されなかった未処理物は、扱室４２から送塵口を介して処理室４６に搬送されて、処理胴４５により処理され、その処理物が選別部５へ落下する過程で処理胴網により選別される。
【００４４】
選別部５では、揺動選別装置本体５０ａが揺動機構により揺動されている状態で、脱穀部４の受網４４から落下した処理物の層が前後フィードパン５４・５５により均平化されて、処理物が比重選別される。前フィードパン５４による選別後のものがチャフシーブ５６により粗選別される。後フィードパン５５による選別後のものがグレンシーブ５７により選別される。また、脱穀部４の受網４４および処理胴網から落下した処理物がチャフシーブ５６により粗選別される。チャフシーブ５６による選別後のものがグレンシーブ５７と唐箕ファン５１およびプレファン５２からの選別風により精選別される。
【００４５】
チャフシーブ５６およびグレンシーブ５７から落下する穀粒や藁屑などが、唐箕ファン５１およびプレファン５２からの選別風により精選別される。このとき、比重が大きく重い穀粒は、一番物として選別風に逆らって落下し、一番搬送装置１５１に収容される。これよりも比重が小さく軽いものは、唐箕ファン５１およびプレファン５２からの選別風により、さらにはセカンドファン５３からの選別風により二番搬送装置１５２の上方へ向けて飛ばされる。
【００４６】
この飛ばされたものの中でも比較的重いもの、例えば枝梗付穀粒は、二番物として落下し、二番搬送装置１５２に収容される。これを除いたものは、唐箕ファン５１、プレファン５２、およびセカンドファン５３からの選別風によりストローラック５８へ向けてさらに飛ばされる。そのうちの藁屑はストローラック５８によりほぐされる。この藁屑の中にある穀粒は、二番物として落下し、二番搬送装置１５２に収容される。他の塵埃などは、吸引ファン５９により吸引されて、三番口から外部に排出される。
【００４７】
一番物は、一番搬送装置１５１により一番揚穀装置１５５に搬送され、つづいて一番揚穀装置１５５により穀粒貯溜部６のグレンタンク６１に搬送されて、このグレンタンク６１に一時的に貯溜される。二番物は、二番搬送装置１５２により二番還元装置１５６に搬送され、つづいて二番還元装置１５６により脱穀部４の扱室４２または揺動選別装置５０の上方空間へ搬送され、脱穀後にまたは脱穀されずに揺動選別装置５０により再選別される。
【００４８】
次に、唐箕ファン５１およびその周辺の構成について詳細に説明する。
【００４９】
図３および図４に示すように、唐箕ファン５１は、揺動選別装置５０の前部の下方に配置され、唐箕ファンケース５１ｃに収容される。この唐箕ファンケース５１ｃは左右の下部機枠９１・９１に取り付けられる。そして、唐箕ファンケース５１ｃは、その側部（下部機枠９１）に吸入口を開口し、後部に吐出口５１ｅを開口して、唐箕ファン５１の回転時に、空気が吸入口から内部に導入されるとともに、唐箕ファン５１による選別風が吐出口５１ｅから選別部５の後部へ、即ち選別方向の下手側向けて送られるように構成される。
【００５０】
唐箕ファン５１は、回転軸５１ａや複数の羽根体５１ｂ・５１ｂ・・・などで構成される。回転軸５１ａは、軸心方向を左右方向として、その左右両端部で唐箕ファンケース５１ｃの吸入口の一部を遮るように設けられたプレートに軸支される。複数の羽根体５１ｂ・５１ｂ・・・は、それぞれ回転軸５１ａから支持部材５１ｄを介して当該回転軸５１ａの半径方向に放射状に突設される。こうして、唐箕ファン５１は、唐箕ファンケース５１ｃ内で左右方向に横設されて、回転軸５１ａ回りに回転可能とされる。
【００５１】
次に、プレファン５２およびその周辺の構成について詳細に説明する。
【００５２】
図３、図４、および図６に示すように、プレファン５２は、揺動選別装置５０の前部下方に配置され、プレファンケース１０に収容される。プレファンケース１０は、機体側の左右の下部機枠９１・９１および揺動選別装置５０に取り付けられる。そして、プレファンケース１０は、その前部に吸入口５２ｅを開口し、その後部に吐出口５２ｄを開口して、プレファン５２の回転時に、空気が吸入口５２ｅから当該プレファンケース１０の内部に導入されるとともに、プレファン５２による選別風が吐出口５２ｄから選別部５の後部へ、即ち選別方向の下手側へ向かって送られるように構成される。
【００５３】
プレファンケース１０は、その上部をなす上側プレファンケース１１と、その下部をなす下側プレファンケース１２と、その左右両側部をなす一対の側部プレート１３・１３とを有し、その上下で分割可能とされる。そして、揺動選別装置５０に取り付けられる上側プレファンケース１１が、その揺動選別装置５０が前後方向に摺動することによって、プレファン５２と同じく左右の下部機枠９１・９１の前上部に取り付けられる下側プレファンケース１２および両側部プレート１３に対して移動可能とされる。
【００５４】
図４に示すように、下側プレファンケース１２は、プレファン５２よりも若干長い左右幅をもつ板状部材からなり、左右の下部機枠９１・９１の前上部に前方に向かって突出するように取り付けられる。下側プレファンケース１２は、プレファン５２を下方から覆うように配置されて、プレファン５２の最外周端の回転軌跡に沿って側面断面視凹状または凹円弧状に形成される。この下側プレファンケース１２は、その前端部が前フィードパン５４の前後中途部の下方で唐箕ファンケース５１ｃの前端よりも前方に位置し、その後端部が前フィードパン５４の後部近傍（後フィードパン５５の前端部下方）に位置するように、前記形状に屈曲しながら前後方向に延長される。
【００５５】
各側部プレート１３は、プレファン５２の上下幅よりも長い上下幅をもつ平板状部材からなり、下側プレファンケース１２の左右両側に取り付けられる。各側部プレート１３は、プレファン５２の左または右側方に配置される。この各側部プレート１３は、その前端部が下側プレファンケース１２の前端付近に位置し、その後端部が下側プレファンケース１２の前後中途部で唐箕ファン５１の上方に位置するように前後方向に延長される。
【００５６】
上側プレファンケース１１は、プレファン５２よりも若干長く、揺動選別装置本体５０ａよりも若干短い左右幅をもつ板状部材からなり、揺動選別装置５０、特にその揺動選別装置本体５０ａまたは前フィードパン５４に支持部材５４ａを介して一体的に取り付けられる。具体的には、支持部材５４ａが、揺動選別装置本体５０ａ内で前フィードパン５４の前部の下方に配置されて、その揺動選別装置本体５０ａに固定される。そして、上側プレファンケース１１が支持部材５４ａに互いの後端部が揃うように下方から固定される。
【００５７】
そして、上側プレファンケース１１は、プレファン５２を上方から覆うように、そのプレファン５２と前フィードパン５４との間に配置されて、プレファン５２の最外周端の回転軌跡に沿った形状に形成される。上側プレファンケース１１は、その前端部がプレファン５２の回転軸５２ａの上方付近に位置し、その後端部がプレファン５２よりも後方で後フィードパン５５の前端前方に所定間隔をおいて位置するように、前記形状に屈曲しながら前後方向に延長される。
【００５８】
上側プレファンケース１１には、その中途部が下方に向けて突出するように側面視略Ｖ字状に屈曲されて、舌部１１ｂが形成される。そして、この舌部１１ｂの側面視における前側の部分が、本実施形態ではプレファン５２を後上方から覆うように前高後低に傾斜した状態とされる。一方、舌部１１ｂの側面視における後側の部分が、プレファン５２からの選別風を前フィードパン５４の後端の下方に向けて導く導風部１１ａとされる。つまり、上側プレファンケース１１の後部、即ち選別方向の下手側に導風部１１ａが形成される。
【００５９】
なお、図６に示すように、上側プレファンケース１１を、その前端部がプレファンの回転軸５２ａの上方付近に位置し、その後端部が前フィードパン５４の後端付近、つまり後方のチャフシーブ５６の前端付近に位置するように前後方向に延長させて、舌部１１ｂの側面視における後側の部分をプレファン５２からの選別風をチャフシーブ５６、特にその前端付近に向けて導く導風部１１ｃとすることも可能である。
【００６０】
また、舌部１１ｂの下方への突出量が適宜に調整されて、舌部１１ｂとこれに対向する下側プレファンケース１２との間に形成されるプレファンケース１０の吐出口５２ｄの開口面積が所定の送風性能が得られるように設定される。そして、この吐出口５２ｄの開口面積と同程度の開口面積をもつ選別風の送風路が、上側プレファンケース１１の導風部１１ａと、下側プレファンケース１２の後部との間に、前低後高に傾斜した状態で前後方向に延びるように形成される。
【００６１】
また、図３、図４、および図６に示すように、プレファンケース１０に収容されるプレファン５２は、回転軸５２ａと、三つの円盤状の支持板５２ｃ・５２ｃ・５２ｃと、複数の羽根体５２ｂ・５２ｂ・・・とで構成される。但し、支持板５２ｃの数は限定されずプレファン５２の左右方向の長さに応じて強度が保てるように複数設けられる。回転軸５２ａは、軸心方向を左右方向として、その左右両端部で側部プレート１３・１３にそれぞれ軸支される。三つの支持板５２ｃ・５２ｃ・５２ｃのうち、二つの支持板５２ｃ・５２ｃはそれぞれ回転軸５２ａの左右両側に相対回転不能に固設され、残りの一つは回転軸５２ａの左右中途部に相対回転不能に固設される。
【００６２】
複数の羽根体５２ｂ・５２ｂ・・・は、支持板５２ｃの周方向に所定間隔ごとに配置され、それぞれ隣り合う支持板５２ｃ・５２ｃの外周部の間に回転軸５２ａに対して略放射状に架設される。こうして、プレファン５２は、プレファンケース１０内で左右方向に横設されて、回転軸５２ａ回りに回転可能とされる。そして、このプレファン５２が回転することによって、選別風が上側プレファンケース１１の舌部１１ｂと下側プレファンケース１２との間のプレファンケース１０の吐出口５２ｄから前記送風路で導風部１１ａに導かれながら後上方、即ち選別方向の下手側に向かって流れることになる。
【００６３】
このような構成において、選別部５で脱穀部４からの処理物の選別が行われる場合、上側プレファンケース１１が揺動選別装置５０と一体的に取り付けられているため、上側プレファンケース１１が揺動選別装置５０の揺動にともなって揺動されることになる。その結果、プレファン５２の回転により発生した選別風は、その一部が上側プレファンケース１１に当たって脈動することとなり、その状態で上側プレファンケース１１の後部、即ち導風部１１ａに沿って送風路を通過し、前フィードパン５４の後端付近に向かって流れることになる。したがって、選別風に強弱ができるとともに、選別風の流れが上下方向に揺れ、前フィードパン５４から落下する塊となった処理物が効果的にほぐされて分散することになる。
【００６４】
また、このような構成において、作業者がプレファン５２のメンテナンスを行う場合、まず排藁処理部７をその回動支点を中心として後方へ向けて回動させて、選別部５の後側を外部に露出させる。つづいて、図５（ａ）に示す状態にある選別部５の揺動選別装置５０を、図５（ｂ）に示すように風選装置に対して左右の下部機枠９１・９１に沿って後方へ摺動させて、この左右の下部機枠９１・９１から後方へ向けて引き抜いて取り外す。この揺動選別装置５０の後方への摺動にともなって、上側プレファンケース１１がプレファン５２の上方から移動することになる。
【００６５】
最後に、フィードチェンフレームをフィードチェン４１とともに回動支点４１ｃを中心として左側方へ向けて回動させて、扱胴４３や選別部５の前上側付近を露出させる。その結果、プレファン５２のメンテナンスを行うための作業空間が、プレファン５２の左側付近に形成されることになる。同時に、プレファン５２の上方が開放されて、プレファン５２の上部が、上側プレファンケース１１に遮蔽されずに、前記作業空間に露出することになる。こうして、作業者は、前記作業空間を利用して、プレファン５２のメンテナンスを行うことが可能となる。
【００６６】
以上のように、本発明の一実施形態に係るコンバイン１は、刈り取られた穀稈を脱穀する脱穀部４と、この脱穀部４からの処理物を揺動選別装置５０と唐箕ファン５１およびプレファン５２からの選別風とにより選別する選別部５とを備えるものであって、前記揺動選別装置５０は、左右の下部機枠９１・９１に揺動可能かつ着脱可能に支持され、前記プレファン５２は、前記揺動選別装置５０の下方で前記左右の下部機枠９１・９１側に設けられて、プレファンケース１０に収容され、前記プレファンケース１０は、前記揺動選別装置５０に取り付けられて前記プレファン５２を上方から覆う上側プレファンケース１１と、前記左右の下部機枠９１・９１に取り付けられて前記プレファン５２を下方から覆う下側プレファンケース１２とを備えるものとされる。
【００６７】
これにより、選別部５で脱穀部４からの処理物が選別される際、プレファンケース１０の上側プレファンケース１１が揺動選別装置５０とともに揺動して、プレファン５２の回転により発生する選別風が脈動することとなる。したがって、プレファン５２周りの構造を簡素なものとしながら、揺動選別装置５０から落下する塊となった処理物をプレファン５２からの選別風により分散させやすくして、選別効率を向上させることができる。また、揺動選別装置５０を左右の下部機枠９１・９１から取り外すだけで、プレファン５２の上方を開放することが可能となる。したがって、メンテナンス性を向上させることができる。
【００６８】
そのうえ、上側プレファンケース１１を、左右の下部機枠９１・９１に取り付ける場合に比べて、揺動選別装置５０に容易に取り付けることが可能となる。
【００６９】
本発明の一実施形態に係るコンバイン１は、また、前記上側プレファンケース１１が、前記プレファン５２からの選別風を導く導風部１１ａ・１１ｃを備えるものとされる。
【００７０】
これにより、プレファン５２周りの構造を簡素なものとしながら、プレファン５２からの選別風を導風部１１ａ・１１ｃにより効果的に選別部５の所定の方向へ導き、選別効率の向上を図ることができる。
【００７１】
発明の一実施形態に係るコンバイン１は、また、前記上側プレファンケース１１は、前記導風部１１ｃを前記プレファン５２からの選別風が前記揺動選別装置５０のチャフシーブ５６に向かって導かれる形状とするものとされる。
【００７２】
これにより、プレファン５２周りの構造を簡素なものとしながら、プレファン５２からの選別風をその流れを乱すことなくチャフシーブ５６まで導き、選別効率の向上を図ることができる。
【符号の説明】
【００７３】
１      コンバイン
４      脱穀部
５      選別部
１０    プレファンケース
１１    上側プレファンケース
１１ａ  導風部
１１ｃ  導風部
１２    下側プレファンケース
５０    揺動選別装置
５１    唐箕ファン
５２    プレファン
５６    チャフシーブ
９１    下部機枠（機枠）
【図１】
2011015637.tif 000003
【図２】
2011015637.tif 000004
【図３】
2011015637.tif 000005
【図４】
2011015637.tif 000006
【図５】
2011015637.tif 000007
【図６】
2011015637.tif 000008